(57)【要約】【課題】建築物における室内において、必要時、簡単に壁面より展開させて、簡易椅子や簡易物品載置部として利用することができる壁収納用家具装置を提供する。【解決手段】建築物における壁体ｂに設けた垂直材６，６へ、該垂直材の高さ方向に間隔的で上水平材１および下水平材２を取り付け、この上水平材および下水平材の間に枠体３を取り付けて、この枠体内の下側に設けた回動軸１２へその一端部を取り付けて前後方向へ回動自在の受体４を設けると共に、枠体へ受体の位置決め部材５を取り付ける。【選択図】    図１
2005139742.tif 000002
【特許請求の範囲】
【請求項１】
建築物における壁体に設けた垂直材へ、該垂直材の高さ方向に間隔的で取り付けた上水平材および下水平材と、この上水平材および下水平材の間に取り付けた枠体と、この枠体内の下側に設けた回動軸へその一端部を取り付けて前後方向へ回動自在に設けた受体と、前記枠体に取り付けた前記受体の位置決め部材とを備えさせ、
前記受体は、前記回動軸を中心に回動して略垂直位置にあるとき前記枠体内に収納され、前記回動軸を中心に回動して略水平位置にあるとき前記枠体より前方へ突出し、該受体の一側面に載置面を形成してあって、
この受体が、前記略水平位置にあるとき、前記一側面の後端部が前記位置決め部材に当接して、該受体の略水平位置を保持させることを特徴とする壁収納用家具装置。
【請求項２】
建築物における壁体に設けた左右一対の垂直材と、この左右一対の垂直材の間に取り付けた枠体と、この枠体内の下側に設けた回動軸へその一端部を取り付けて前後方向へ回動自在に設けた受体と、前記枠体に取り付けた前記受体の位置決め部材とを備えさせ、
前記受体は、前記回動軸を中心に回動して略垂直位置にあるとき前記枠体内に収納され、前記回動軸を中心に回動して略水平位置にあるとき前記枠体より前方へ突出し、該受体の一側面に載置面を形成してあって、
この受体が、前記略水平位置にあるとき、前記一側面の後端部が前記位置決め部材に当接して、該受体の略水平位置を保持させることを特徴とする壁収納用家具装置。
【請求項３】
枠体における背部に背板を取り付けたことを特徴とする請求項１または２記載の壁収納用家具装置。
【請求項４】
枠体は方形状に形成されていて、
受体は、該枠体内側と同様の形状に形成されていて、この枠体内へ任意に回動し得る隙間を設けて取り付けられており、
この受体は、回動軸を中心に回動して略垂直位置にあるとき、前記枠体内に収納されて、該受体の他側面を前記枠体の外側前面と略一致させたことを特徴とする請求項１または２記載の壁収納用家具装置。
【発明の詳細な説明】
【技術分野】
【０００１】
本発明は、建築物における室内において、必要時、簡単に壁より展開させて、簡易椅子や簡易物品載置部として利用することができる壁収納用家具装置に関する。
【背景技術】
【０００２】
従来、住宅における玄関などにおいて高齢者や子供等が靴を履いたり脱いだりするときは、土間から廊下までの間に、所定の高さを有した腰掛け場所がないと自身の体を安定的に支えることができにくく、そのため、何かのはずみに転倒して思わぬケガをすることあった。
【０００３】
また、前記問題点にかんがみ、簡便に座ることができる椅子などを前記玄関に用意しておき、靴などの履き替え時に、この椅子を用いることも試みられていたが、この椅子は、単に土間などに載置させただけのものであるため、不自然な姿勢による動作が多いこの履き替えにあって、体のバランスを崩してこの椅子ごと転倒する事も少なくなかった。
【発明の開示】
【発明が解決しようとする課題】
【０００４】
本発明は、前記した問題点を解決するためになされたもので、建築物における壁体に設けた垂直材へ、該垂直材の高さ方向に間隔的で上水平材および下水平材を取り付け、この上水平材および下水平材の間に枠体を取り付けて、この枠体内の下側に設けた回動軸へその一端部を取り付けて前後方向へ回動自在の受体を設けると共に、枠体へ受体の位置決め部材を取り付けることにより、建築物における室内において、必要時、簡単に壁面より展開させて、簡易椅子や簡易物品載置部として利用することができる壁収納用家具装置を提供することを目的としている。
【課題を解決するための手段】
【０００５】
前記した目的を達成するための本発明の手段は、
建築物における壁体に設けた垂直材へ、該垂直材の高さ方向に間隔的で取り付けた上水平材および下水平材と、この上水平材および下水平材の間に取り付けた枠体と、この枠体内の下側に設けた回動軸へその一端部を取り付けて前後方向へ回動自在に設けた受体と、前記枠体に取り付けた前記受体の位置決め部材とを備えさせ、
前記受体は、前記回動軸を中心に回動して略垂直位置にあるとき前記枠体内に収納され、前記回動軸を中心に回動して略水平位置にあるとき前記枠体より前方へ突出し、該受体の一側面に載置面を形成してあって、
この受体が、前記略水平位置にあるとき、前記一側面の後端部が前記位置決め部材に当接して、該受体の略水平位置を保持させる壁収納用家具装置の構成にある。
【０００６】
建築物における壁体に設けた左右一対の垂直材と、この左右一対の垂直材の間に取り付けた枠体と、この枠体内の下側に設けた回動軸へその一端部を取り付けて前後方向へ回動自在に設けた受体と、前記枠体に取り付けた前記受体の位置決め部材とを備えさせ、
前記受体は、前記回動軸を中心に回動して略垂直位置にあるとき前記枠体内に収納され、前記回動軸を中心に回動して略水平位置にあるとき前記枠体より前方へ突出し、該受体の一側面に載置面を形成してあって、
この受体が、前記略水平位置にあるとき、前記一側面の後端部が前記位置決め部材に当接して、該受体の略水平位置を保持させる壁収納用家具装置の構成にある。
【０００７】
枠体における背部に背板を取り付ける。
【０００８】
枠体は方形状に形成されていて、
受体は、該枠体内側と同様の形状に形成されていて、この枠体内へ任意に回動し得る隙間を設けて取り付けられており、
この受体は、回動軸を中心に回動して略垂直位置にあるとき、前記枠体内に収納されて、該受体の他側面を前記枠体の外側前面と略一致させる。
【発明の効果】
【０００９】
前述のように構成される本発明は、建築物における室内において、必要時、簡単に壁面より展開させて、簡易椅子や簡易物品載置部として利用することができると共に、非使用時は、展開を戻して壁面と面一とすることができる格別な効果を奏するものである。
【発明を実施するための最良の形態】
【００１０】
次に本発明に関する壁収納用家具装置の一実施例を図面に基づいて説明する。
図１〜図４，図８においてＡは壁収納用家具装置であって、上水平材１および下水平材２と、枠体３と、受体４と、位置決め部材５とにより基本的に構成される。
【００１１】
そして、前記した上水平材１および下水平材２は、図５等に示すように、建築物における壁体ｂに設けた柱や間柱等の垂直材６，６へ、該垂直材６，６の高さ方向に間隔的で、すなわち、後記する枠体３の高さ寸法に見合う間隔に取り付けて、この枠体３の取付空間７を形成してある。
また、上水平材１および下水平材２の間に形成された取付空間７にあって、後記する枠体３の幅寸法に合わせて、該枠体３の横方向への移動を規制させる外枠部材１７，１８を設けることもある。
【００１２】
前記した枠体３は、上水平材１および下水平材２の間に形成された取付空間７に取り付けられているもので、任意の形状に形成されている。例えば、図６等に示すように、両側板８，９と、上板１０および下板１１とにより釘やビス等の止着手段（図示せず）によって方形状に形成されている。なお、この枠体３は、方形状に限らず、円形や他の多角形等自由に選定し得る。
該枠体３は、釘やビス等の止着手段（図示せず）によって、上水平材１と下水平材２および外枠部材１７，１８と結合する。
【００１３】
前記した受体４は、枠体３内の下側に設けた回動軸１２へその一端部（略垂直に起立したときの下側部）を取り付けて前後方向（略垂直状態と略水平状態の範囲）へ回動自在に設けてある。
なお、前記（後記する場合も同様）した略垂直状態および略水平状態あるいは略垂直位置および略水平位置とは、垂直に近い状態（位置）および水平に近い状態（位置）であって、望ましくは、垂直状態（位置）および水平状態（位置）である。
この受体４は、平板状に形成され、かつ、枠体３における内側（内のり形状）と同様の形状に形成されていて、この枠体３内へ任意に回動し得る隙間１３を該受体４の周部に設けて取り付けられている。
【００１４】
更に、該受体４は、回動軸１２を中心に回動して略垂直位置（図２および図４参照）にあるとき、枠体３内に収納されて、該受体４の他側面４ｂを枠体３の外側前面３ａと略一致させる。このとき、枠体３内における上部において上板１０に戸当たり部材１９を設けておくことで、この受体４の前記略垂直位置が位置決めされる。
また、この受体４の前記略垂直位置にあって、ストッパー２０を設けることで、該略垂直位置の保持が確実となり、受体４の非使用時の傾倒などの妄動が防止される。該ストッパー２０は任意の手段が用いられるもので、例えば、図４に示すように、スプリング等の弾性部材２１により常時外方へ繰り出される球体２２を受体４における外端縁に埋設して、受体４の前記略垂直位置時に、枠体３における上板１０の係止部２３に係合することで、受体４の妄動が抑止される。このとき、受体４の一側面４ａは、戸当たり部材１９にはわずかに当たる、あるいは、わずかな隙間を形成して対応している。
【００１５】
そして、この受体４における他側面４ｂの適所に刻設等により手掛け２０を設けてある。
また、回動軸１２を中心に回動して略水平位置（図１および図３参照）にあるとき、枠体（壁体ｂの外面）より前方へ突出するように構成されているもので、図１および図３に示すように、該受体４の一側面に載置面４ａを形成してある。
【００１６】
なお、前記した回動軸１２は、受体４の両端部へ突出するように設けられているもので、図７に示すように、両側板８，９に穿設した軸受孔１４にオイルレス軸受１５を挿嵌してあって、このオイルレス軸受１５に回動軸１２の先端部を挿入してある。なお、この回転軸１２の取り付けにあっては、枠体３の組み立て時に行うことで、オイルレス軸受１５への挿入後の抜け出しが防止される。
【００１７】
前記した位置決め部材５は、枠体３の内部に取り付けて、受体４が、図１および図３に示すように、略水平位置にあるとき、一側面４ａの後端部が、この位置決め部材５における下面５ａが当接して、該受体４の略水平位置を保持させる。
該位置決め部材５はその下面５ａが、受体４が略水平位置にあるとき、その一側面４ａと平行となるように配されており、しかも、この一側面４ａと略同長寸法を有しているので、受体４に掛かる荷重を十分に支承することができる。
【００１８】
また、枠体３における背部には、この空間部を覆う背板２５を取り付けてあるもので、受体４を手前に回動したとき、壁体ｂ内を隠蔽する。
【００１９】
したがって、前記のように構成される本発明実施例の壁収納用家具装置Ａは、以下に述べる作用を奏する。
この壁収納用家具装置Ａは、建築物の新築時およびリフォーム（後付け）時のいずれにあっても任意の位置や高さの壁体ｂに設けられるもので、非使用時は、図２および図４に示すように、受体４は回動軸１２を中心として回動して略垂直位置に保持される。
このとき、該受体４は、その全体が枠体３内に納まっており、かつ、この受体４の他側面４ｂは枠体３の外側前面３ａと、すなわち、壁体ｂ面と略一致するようになっていて突起物を生じないので、室内の往来などの通常の生活には、この壁収納用家具装置Ａが邪魔とならない。
前記あるいは後記する略一致とは、一致に近い状態であって、望ましくは一致するものである。
【００２０】
そして、該壁収納用家具装置Ａを玄関のたたき付近に設ければ、人が玄関の土間から廊下へ上がるときは、この壁収納用家具装置Ａにおける受体４を手掛け２４に手を掛けて引き出すと、該受体４は下側部の回動軸１２を中心として回動する。
そして、この受体４が略水平位置に達したとき、図１および図３に示すように、該受体４の一側面４ａにおける後端部が、この位置決め部材５における下面５ａへ当接して、該受体４はその略水平位置が保持される。
【００２１】
したがって、人は、この受体４の一側面４ａに簡便に腰掛けることができるので、履物を脱ぐとき中腰等の不安定な姿勢やバランスを崩した姿勢などが解消されて、使用者身体に負担を掛けることなく安全に行うことができる。また、履物を履く時も同様の操作を行うことで傾倒や転倒の心配なく安心して行える。
特に、子供や高齢者あるいは女性のロングブーツの履き替えに際して、一層、有効に利用することができる。
受体４の位置決め部材５による略水平位置の保持は、その一側面４ａにおける幅方向全体が位置決め部材５の下面５ａにおける幅方向全体へ当接するので、受体４に掛かる荷重を分散しつつ十分にかつ確実に支承することができる。
【００２２】
目的の用事を終えれば、受体４を下方から持ち上げれば、該受体４は回動軸１２を中心として略水平位置から略垂直位置へ回動し、該略垂直位置へ達したとき、受体の一側面４ａ上部が戸当たり部材１９に当接すると共に、ストッパー２０における受体４の球体２２が、枠体３における上板１０の係止部２３に係合するので、受体４は略垂直位置に保持され、以降の自然または振動等による受体４の妄動が抑止される。
【００２３】
なお、受体４の略水平位置において、人等がこの受体４に座ったとき、その荷重は、枠体３と共に下部の下水平材２に掛かり、更に、回動軸１２を中心に枠体３全体が前側に傾倒しようとするが、枠体３上部に配される上水平材１がこの傾倒を受けて、枠体３をその取付位置に保持させる、すなわちその固定を確実とするものである。
【００２４】
また、この壁収納用家具装置Ａの設置には、玄関以外にも、脱衣所や台所など、チョット腰を下ろすことで、各動作が便利に行える任意の場所や高さに設けることができる。壁体ｂ内の埋設厚さを薄形に設けることができるので、建物の構築に制限がある集合住宅などにも利用できる。
更には、廊下等において設けた本発明実施例の壁収納用家具装置Ａは、受体４を略水平位置に展開することで、植物等の載置台となったり、他の物品や装飾品などの簡便な載置台となる。
【００２５】
この壁収納用家具装置Ａは、図１に示すように、受体４が略水平位置に展開したとき、この受体４の他側面４ｂ側（下側）には突出物が、すなわち、従来の椅子に設けられた座板を支持する脚類の他物を全く有しないので、足をこの受体４の下側に移動したとき、該足が前記他物によって邪魔にならずに自由に動かすことができる。また、外観的体裁もシンプルとなって良好な景観が得られて、室内にあって調和した家具調感を呈する。
【００２６】
なお、本発明実施例の壁収納用家具装置Ａは、図８に示すように、建築物における壁体に設けた左右一対の垂直材６，６と、この左右一対の垂直材６，６の間に取り付けた枠体３と、この枠体３内の下側に設けた回動軸１２へその一端部を取り付けて前後方向へ回動自在に設けた受体４と、枠体３に取り付けた受体４の位置決め部材５とを備えさせ、受体４は、回動軸１２を中心に回動して略垂直位置にあるとき、枠体３内に収納され、また、回動軸１２を中心に回動して略水平位置にあるとき、枠体３より前方へ突出し、該受体４の一側面４ａに載置面を形成してあって、この受体４が、略水平位置にあるとき、一側面４ａの後端部が位置決め部材５の下面５ａに当接して、該受体４の略水平位置を保持させる。
【００２７】
すなわち、枠体３を支承する構成にあって、建築物における壁体に設けた左右一対の垂直材６，６へ、枠体３における両側板８，９をボルト・ナット等の止着手段３０により強固に連結する。
これにより、前記した上水平材１および下水平材２を用いなくても枠体３の固定が行われる。なお、枠体３と、受体４と、位置決め部材５とは前記した例と同様に構成され、同様の作用効果を奏する。
【図面の簡単な説明】
【００２８】
【図１】本発明に関する壁収納用家具装置の一実施例を示す受体の開放状態の斜視図である。
【図２】図１における壁収納用家具装置の受体の閉塞状態を示す斜視図である。
【図３】図１における壁収納用家具装置の受体の開放状態を示す縦断側面図である。
【図４】図１における壁収納用家具装置の受体の閉塞状態を示す縦断側面図である。
【図５】図１における壁収納用家具装置を壁体へ取り付ける壁内部の構成を示す斜視図である。
【図６】図１における壁収納用家具装置の枠体を示す正面図である。
【図７】図６における壁収納用家具装置の回動軸部を拡大して示す要部の横断平面図である。
【図８】図１における壁収納用家具装置の枠体取付における他の例を示す正面図である。
【符号の説明】
【００２９】
Ａ…壁収納用家具装置．ｂ…壁体．１…上水平材．２…下水平材．３…枠体．４…受体．４ａ…一側面．４ｂ…他側面．５…位置決め部材．６…垂直材．１２…回動軸．１３…隙間．２５…背板．
【図１】
2005139742.tif 000003
【図２】
2005139742.tif 000004
【図３】
2005139742.tif 000005
【図４】
2005139742.tif 000006
【図５】
2005139742.tif 000007
【図６】
2005139742.tif 000008
【図７】
2005139742.tif 000009
【図８】
2005139742.tif 000010